(57)【要約】【課題】有料施設に入場した記念品としての価値を高めた入場券とすること。【解決手段】入場券１０の券面に写真の印刷領域を示す写真挿入部１２を設けておき、遊園地２内の各エリアに設置した写真印刷装置２０によって、入場券１０を回収して写真挿入部１２の有無を検知し、写真挿入部１２があれば被写体の写真撮影を許可し、撮影した写真を写真挿入部１２の領域内に当てはめて印刷するようにした。これにより、遊園地２に入場した家族や友人と一緒に撮影した写真を入場券１０に残しておくことができる。【選択図】図１
2008304988.tif 000002
【特許請求の範囲】
【請求項１】
有料施設への入場者に販売される入場券であって、券面に、入場許可日を含む有料施設に関連する情報が表示されているとともに、有料施設内で撮影される写真の印刷領域を示す写真挿入部が設けられていることを特徴とする入場券。
【請求項２】
券面に、複数の入場許可日が表示されており、入場許可日の日数に応じた個数の写真挿入部が設けられていることを特徴とする請求項１に記載の入場券。
【請求項３】
有料施設内に設置され、有料施設への入場者に販売された入場券に写真を印刷する写真印刷装置であって、販売された入場券を回収して入場券に設けられた写真挿入部の有無を検出する検出手段と、写真挿入部を検出した場合に被写体の写真を撮影する撮影手段と、撮影した写真を写真挿入部の領域内に当てはめて印刷する印刷手段とを備えたことを特徴とする写真印刷装置。
【請求項４】
検出手段はさらに、複数個の写真挿入部を検出した場合に、いずれの写真挿入部に写真を印刷するのかを選択する手段を有していることを特徴とする請求項３に記載の写真印刷装置。
【請求項５】
撮影手段はさらに、被写体の撮影部位を選択する手段を有していることを特徴とする請求項３または請求項４に記載の写真印刷装置。
【請求項６】
有料施設への入場者に写真を提供する写真提供システムであって、
有料施設への入場者に販売され、券面に、入場許可日を含む有料施設に関連する情報が表示されているとともに、有料施設内で撮影される写真の印刷領域を示す写真挿入部が設けられた入場券と、
有料施設内に設置され、販売された入場券を回収して入場券に設けられた写真挿入部の有無を検出する検出手段と、写真挿入部を検出した場合に被写体の写真を撮影する撮影手段と、撮影した写真を写真挿入部の領域内に当てはめて印刷する印刷手段とを備えた写真印刷装置と、
からなることを特徴とする写真提供システム。
【発明の詳細な説明】
【技術分野】
【０００１】
本発明は、有料施設への入場者に販売される入場券と、有料施設内に設置される写真印刷装置と、これらの入場券と写真印刷装置を用いて有料施設への入場者に写真を提供する写真提供システムに関する。
【背景技術】
【０００２】
従来、例えば遊園地やテーマパーク等の有料施設では、利用者は入場口で入場券の提示を求められる。そして、入場券を提示すると係員がチェックして控え券を切り離し、残りの本券を利用者に渡して入場を許可するようにしている。このように、従来の入場券は入場時のチェックに使用するのが主な目的であることから、券面にはデザイン印刷以外に入場許可日や種別等の入場時のチェックに必要な情報しか印刷されていない。このため、同じ施設の入場券であれば他の利用者の入場券と変わらず特に付加価値がないので、渡された入場券の本券を記念に持ち帰る者は少なく、多くの場合は退場した後に捨てられてしまうという問題があった。
【０００３】
その一方で、下記の特許文献には、購入者の顔写真を印刷した入場券を販売し、入場口で係員が入場券の顔写真を確認して入場者と購入者が一致するかどうかを判別することによって、入場券の不正な転売を防止する技術が開示されている（例えば特許文献１、２を参照）。しかし、これらの文献に開示されている技術は、いずれも入場券の販売時にあらかじめ購入者の顔写真を印刷しておくものであり、入場券には購入者本人の顔写真しか印刷されていない。このため、購入者本人が何らかの都合で入場できない場合には、入場券が無駄になってしまうという問題がある。また、入場券には一緒に入場した家族や友人等が印刷されていないので、臨場感がなく、記念品としての価値が低いという問題もある。
【０００４】
【特許文献１】特開平７−１２５４８２号公報
【０００５】
【特許文献２】特開２００２−２８８６９２号公報
【発明の開示】
【発明が解決しようとする課題】
【０００６】
本発明は上記のような問題を解決するためになされたものであり、その目的とするところは、有料施設に入場した記念品としての価値を向上させることを狙った入場券、写真印刷装置、及び写真提供システムを提供することにある。
【課題を解決するための手段】
【０００７】
上記の目的を達成するため、本発明による入場券は、有料施設への入場者に販売される入場券であって、券面に、入場許可日を含む有料施設に関連する情報が表示されているとともに、有料施設内で撮影される写真の印刷領域を示す写真挿入部が設けられていることを特徴とする。
【０００８】
また、上記の目的を達成するため、本発明による写真印刷装置は、有料施設内に設置され、有料施設への入場者に販売された入場券に写真を印刷する写真印刷装置であって、販売された入場券を回収して入場券に設けられた写真挿入部の有無を検出する検出手段と、写真挿入部を検出した場合に被写体の写真を撮影する撮影手段と、撮影した写真を写真挿入部の領域内に当てはめて印刷する印刷手段とを備えたことを特徴とする。
【０００９】
また、上記の目的を達成するため、本発明による写真提供システムは、有料施設への入場者に写真を提供する写真提供システムであって、有料施設への入場者に販売され、券面に、入場許可日を含む有料施設に関連する情報が表示されているとともに、有料施設内で撮影される写真の印刷領域を示す写真挿入部が設けられた入場券と、有料施設内に設置され、販売された入場券を回収して入場券に設けられた写真挿入部の有無を検出する検出手段と、写真挿入部を検出した場合に被写体の写真を撮影する撮影手段と、撮影した写真を写真挿入部の領域内に当てはめて印刷する印刷手段とを備えた写真印刷装置と、からなることを特徴とする。
【００１０】
本発明において、「有料施設」とは、料金を支払って入場した利用者に対して娯楽を提供する場所のことを広く一般に意味し、例えば遊園地やテーマパーク等の遊技施設や、野球場やサッカー場等のスポーツ観戦施設のほか、コンサート会場、動物園や水族館等の観賞施設も含まれる。
【００１１】
入場券に表示される「有料施設に関連する情報」としては、入場許可日のほかに、例えば入場券の種別、価格、整理番号、有効期限等の文字情報や、施設内の案内図、建物、設備、アトラクション、キャラクターの写真やイラスト等の画像情報が挙げられる。
【００１２】
入場券に設けられる「写真挿入部」は、有料施設に関連する情報とは別の領域に設けられていてもよいが、同じ領域に重ねて設けられていてもよい。同じ領域に重ねて設ける場合には、その一例として施設内の建物やキャラクター等の画像の一部を白抜きにして印刷する構成が考えられる。
【００１３】
また、本発明の入場券において、券面に、複数の入場許可日が表示されており、入場許可日の日数に応じた個数の写真挿入部が設けられていてもよい。例えば遊園地やテーマパーク等の遊技施設に関して、いわゆる「２ＤＡＹパスポート」のような２日間にわたって利用できる入場券の場合には、２日分の入場許可日を表示し、これに対応して２個の写真挿入部を設けるようにする。
【００１４】
また、本発明の写真印刷装置において、検出手段はさらに、複数個の写真挿入部を検出した場合に、いずれの写真挿入部に写真を印刷するのかを選択する手段を有しているとよい。例えば入場券に複数の異なるキャラクターの顔を白抜きした「写真挿入部」を設けておき、入場した日ごとに入場者にどのキャラクターの顔に写真を印刷するのかを選択させることができる。また、「年間フリーパスポート」のような入場許可日を特定しない入場券の場合には、複数種類のキャラクターを用意しておき、その中から好きなキャラクターを選択させるようにしてもよい。
【００１５】
また、本発明の写真印刷装置において、撮影手段はさらに、被写体の撮影部位を選択する手段を有していてもよい。そうすれば、１人や２人など少人数で写真を撮影する場合には顔や上半身を選択し、家族や団体など大人数で写真を撮影する場合には全身を選択するという具合に、撮影した写真が入場券の「写真挿入部」に納まるように撮影部位を選択してから撮影することができる。
【発明の効果】
【００１６】
本発明によれば、有料施設への入場者に販売された入場券の写真挿入部に、有料施設内で撮影した写真を印刷するようにしたので、他の入場券とは一味違った記念品としての価値が高い貴重な入場券を持ち帰ることができるという効果がある。また、入場券の購入時に購入者本人の写真を撮影して印刷するのではなく、有料施設に入場した家族や友人と一緒に撮影した写真を印刷することができるので、入場券を後で見たときに誰と一緒に入場したのかが分かって臨場感が得られ、思い出の写真として残しておくことができるという効果がある。さらに、入場券に写真を印刷する写真印刷装置が有料施設内に限定して設置されているので、写真印刷後の入場券は限定品としての価値が加わり、その波及効果として有料施設の入場者数の増加にも繋がるという効果がある。
【発明を実施するための最良の形態】
【００１７】
以下、本発明の実施の形態について、図面を参照しながら説明する。
【００１８】
図１は、写真提供システムの構成を示す全体図である。
【００１９】
図１に示すように、本実施形態において、本発明の写真提供システム１は有料施設の一例として遊園地２に適用されている。
【００２０】
遊園地２の入退場ゲート３付近には券売所４が設置されており、利用者は入場時にこの券売所４で本発明の入場券１０を購入する。そして、入退場ゲート３で係員に入場券１０を提示すると、係員が入場券１０をチェックして控え券を切り離し、残りの本券を利用者に渡して入場を許可する。また、遊園地２の敷地内には複数のアトラクション５，５，…やレストラン６があり、これらのアトラクション５やレストラン５などの各エリアごとにそれぞれ本発明の写真印刷装置２０が設置されている。なお、図示しないが、入場券１０については事前に他の出先券売所、例えばチケットセンターやコンビニエンスストア等でも購入できるようになっている。
【００２１】
この写真提供システム１によると、遊園地２に入場した利用者は、入場時に渡された入場券１０を持っていれば、遊園地２に入場した記念として遊園地２内に設置されている写真印刷装置２０で写真を撮影でき、撮影した写真を入場券１０に印刷してその場で提供してもらえるようになっている。
【００２２】
図２は、入場券の構成を示す外観図である。
【００２３】
図２に示すように、入場券１０は、図１の券売所４において遊園地２の入場者に対して限定販売されるものであり、写真印刷が可能な印刷用紙の片面に、入場許可日を含む遊園地に関連する情報を表示した情報表示部１１が設けられ、遊園地２内で撮影される写真を挿入する領域を表わす写真挿入部１２が設けられている。
【００２４】
本実施形態の入場券１０は、入場許可日を２日間にした「２ＤＡＹパスポート」の一例を示したものであり、券面には入場許可日、種別、価格、有効期限、整理番号等の文字情報が表示されており、これらの文字情報はバーコードや２次元コード等の光学読取コード１３で印字されている。また、画像情報として遊園地２内に登場するキャラクターのイラストが入場許可日の日数に応じて２種類印刷されており、それぞれのキャラクターの顔を白抜きした２個の写真挿入部１２，１２が設けられている。さらに、入場券１０にはミシン目からなる切り取り線１４が形成されており、この切り取り線１４を介して本券１５と控え券１６を切り離すことができるようになっている。
【００２５】
図３は、写真印刷装置の構成を示す外観図である。
【００２６】
図３に示すように、写真印刷装置２０は、図１の遊園地２内のアトラクション５やレストラン６などの各エリアごとに設置されており、利用者の写真を撮影して入場券１０に印刷する装置である。装置本体の正面には利用者の写真を撮影する撮影部２１が設けられており、装置本体の中央には操作パネル２２とスピーカ２３が設けられ、装置本体の下方には硬貨投入口２４と入場券挿入口２５と入場券排出口２６が設けられている。なお、図示しないが、この写真印刷装置２０を取り囲むようにカーテンで仕切られた専用の撮影ブースが設けられていてもよい。
【００２７】
この装置によれば、利用者が硬貨投入口２４に料金を入れた後、入場券挿入口２５に入場券１０を挿入するとスピーカ２３から音声ガイダンスが流れる。そして、利用者がこの音声ガイダンスに従って操作パネル２２を操作すると、撮影部２１によって写真撮影が行われ、撮影が終了すると写真を印刷した入場券１０が入場券排出口２６から発行されるようになっている。なお、写真印刷装置２０は写真印刷を無料で行う装置としてもよく、この場合には硬貨投入口２４を設ける必要がなくなる。
【００２８】
図４は、写真印刷装置の機能を示すブロック図である。
【００２９】
図４に示すように、この写真印刷装置２０は、制御部４１と、硬貨検知部４２と、入場券認識部４３と、撮影処理部４４と、音声処理部４５と、表示処理部４６と、印刷処理部４７を備えて構成されている。
【００３０】
制御部４１は、ＲＯＭに記憶されたプログラムに従って、以下の各回路の処理を統括して制御する。
【００３１】
硬貨検知部４２は、硬貨投入口２４に接続されており、硬貨投入口２４から投入された硬貨を検知して規定料金が支払われたかどうかを判断する処理を行う。なお、無料で写真印刷する装置であれば硬貨検知部４２も必要ない。
【００３２】
入場券認識部４３は、入場券挿入口２５に設置されたＣＣＤ式やレーザ式のスキャナ３１に接続されており、入場券挿入口２５から入場券１０が挿入されると、スキャナ３１によって入場券１０の券面の画像データを取得する処理を行う。そして、取得した画像データに基づいて、入場券１０の券面に印字された光学読取コード１３を読み取ったり、写真挿入部１２の有無を判別したりする。ここで、写真挿入部１２の有無の判別は、例えば画像データの急激な濃淡変化を利用して写真挿入部１２の輪郭を検出するエッジ検出や、画像データの濃淡をしきい値以上の階調はすべて白色、しきい値未満の階調はすべて黒色に２分して白色部分からなる写真挿入部１２を特定する２値化処理など、周知の画像処理方法を用いて行えばよい。
【００３３】
撮影処理部４４は、照明３２とＣＣＤカメラ３３とからなる撮影部２１に接続されており、制御部４１の指示に従って照明３２の明るさやＣＣＤカメラ３３のズーム率を調節して、被写体の写真を撮影する処理を行う。
【００３４】
音声処理部４５は、スピーカ２３に接続されており、写真撮影処理の手順を説明する音声データをスピーカ２３に送り、スピーカ２３から音声を出力する処理を行う。
【００３５】
表示処理部４６は、液晶ディスプレイ等からなる表示部３４とタッチパネル式の入力部３５を備えた操作パネル２２に接続されており、表示部３４にスピーカ２３の音声に従った画像を表示して装置の操作方法を案内するとともに、入力部３５によって入力された指示に基づいて撮影を進行する処理を行う。具体的には、スキャナ３１で読み取られた入場券１０の画像データを表示部３４に表示したり、ＣＣＤカメラ３３が撮影した被写体の写真データを表示部３４に表示したり、あるいは入力部３５による入力操作に応じて表示部３４の画面表示を切り換えたりする。
【００３６】
印刷処理部４７は、写真印刷機能を有するプリンタ３６に接続されており、入場券挿入口２５から挿入された入場券１０の券面にＣＣＤカメラ３３で撮影した被写体の写真を印刷し、印刷後の入場券１０を入場券排出口２６から発行する処理を行う。
【００３７】
以上が写真印刷装置２０の構成であり、以下にその動作を説明する。
【００３８】
図５は、写真印刷装置の動作を示すフローチャート図であり、図６は写真印刷装置の動作中における表示部の画面表示例を示す図である。
【００３９】
図５に示すように、この写真印刷装置２０を使用する場合には、はじめに利用者は硬貨投入口２４から硬貨を入れる（ステップ５０２）。すると、硬貨検知部４２では、投入された硬貨を検知して規定料金が支払われたかどうかを判断し、その判断結果を制御部４１に通知する。なお、無料で写真印刷する装置の場合には、このステップ５０２の処理は省略される。
【００４０】
次に、装置の入場券挿入口２５に入場券１０を挿入する（ステップ５０４）。入場券１０が挿入されると、入場券認識部４３ではスキャナ３１が入場券１０の券面の画像データを取得する。そして、券面に印字された光学読取コード１３を読み取って正規の入場券１０であるか否かを判断し、その判断結果を制御部４１に通知する。制御部４１は、規定の料金が支払われた後に正規の入場券１０が挿入されたことを確認すると、各部に以下の撮影処理を行うように指令する。
【００４１】
まず、入場券認識部４３において、スキャナ３１で取得した入場券１０の券面の画像データに基づいて、写真挿入部１２の有無を判別する（ステップ５０６）。そして、写真挿入部１２があることが確認できれば写真撮影を許可する。
【００４２】
ここで、１枚の入場券１０の券面に写真挿入部１２が２個以上存在することが検出された場合（ステップ５０８でＹＥＳ）には、利用者にいずれの写真挿入部１２に写真を印刷するのかを選択させる（ステップ５１０）。本実施形態の入場券１０の場合には２個の写真挿入部１２が設けられているので、図６（ａ）に示すように、２個の写真挿入部１２の画像データがフレームとして操作パネル２２の表示部３４に表示されるとともに、音声処理部４５によってスピーカ２３からフレーム選択を指示するアナウンスが流れる。これに従って利用者はどちらか一方の写真挿入部１２を選択してタッチパネル式の入力部３５を用いて入力する。
【００４３】
また、ステップ５１０で写真挿入部１２を選択した後、あるいは券面に写真挿入部１２が１個しか存在しない、いわゆる「１ＤＡＹパスポート」のような入場券１０の場合（ステップ５０８でＮＯ）には、その写真挿入部１２の画像データを決定したフレームとして操作パネル２２の表示部３４に表示する（ステップ５１２）。
【００４４】
次に、利用者は写真の撮影パターンを選択する（ステップ５１４）。本実施形態では、図６（ｂ）に示すように、操作パネル２２の表示部３４に被写体の撮影部位を示す顔、上半身、全身の３つの撮影パターンが表示されており、利用者はこれらの中から好みの撮影パターンを１つ選択してタッチパネル式の入力部３５を用いて入力する。
【００４５】
利用者が撮影パターンを選択すると、撮影処理部４４はその選択された撮影パターンに従って被写体の写真撮影処理を行う（ステップ５１６）。すなわち、入力部３５からの指示に基づいて、撮影処理部４４によってＣＣＤカメラ３３のズーム率が撮影パターンに対応した適正値に変更され、音声処理部４５によってスピーカ２３から撮影タイミングを表わすアナウンスが流れ、ＣＣＤカメラ３３によって被写体の写真が撮影される。
【００４６】
写真が撮影されると、表示処理部４６では、ＣＣＤカメラ３３で撮影した写真の画像データをスキャナ３１で読み取った写真挿入部１２の画像データに当てはめて合成する。そして、図６（ｃ）に示すように、その合成画像データを操作パネル２２の表示部３４に表示する（ステップ５１８）。
【００４７】
続いて、図６（ｄ）に示すように、操作パネル２２の表示部３４に写真を印刷してもよいかどうかを質問する画面が表示される（ステップ５２０）。ここで、利用者がもう一度写真の撮影を希望する場合には、画面上の「いいえ」を選択して入力部３５で入力する（ステップ５２０でＮＯ）と、ステップ５１４に戻って上述した撮影パターンの選択、写真撮影、及び写真表示の処理が順番に繰り返される。
【００４８】
それに対して、利用者が写真の印刷を希望する場合には、画面上の「はい」を選択して入力部３５で入力する（ステップ５２０でＹＥＳ）と、印刷処理部４７において写真印刷処理が行われる（ステップ５２２）。すなわち、印刷処理部４７では、プリンタ３６が入場券１０の写真挿入部１２に撮影済みの写真の画像データを印刷し、最後に印刷後の入場券１０が入場券排出口２６から排出される（ステップ５２４）。これにより写真印刷装置２０の処理が完了する。
【００４９】
以上説明したように、本発明によれば、遊園地２内に設置された写真印刷装置２０によって、入場券１０に設けられた写真挿入部１２に遊園地２内で撮影した写真が印刷されるので、入場した記念品としての価値が高い貴重な入場券１０を持ち帰ることができる。また、遊園地２に入場した家族や友人と一緒に撮影した写真を印刷すれば、入場券１０を後で見たときに誰と一緒に遊園地２に行ったのかが分かるので、臨場感が得られ、思い出の写真として残しておくことができる。さらに、写真印刷装置２０はこの遊園地２の敷地内にしか設置されていないので、この装置で写真を印刷した入場券１０は限定品としての価値が加わり、その波及効果として、このような限定品の入場券１０を求めて遊園地２の入場者数の増加が期待できる。
【図面の簡単な説明】
【００５０】
【図１】写真提供システムの構成を示す全体図。
【図２】入場券の構成を示す外観図。
【図３】写真印刷装置の構成を示す外観図。
【図４】写真印刷装置の機能を示すブロック図。
【図５】写真印刷装置の動作を示すフローチャート図。
【図６】写真印刷装置の動作中における表示部の画面表示例を示す図。
【符号の説明】
【００５１】
１  写真提供システム
２  遊園地
３  入退場ゲート
４  券売所
５  アトラクション
６  レストラン
１０  入場券
１１  情報表示部
１２  写真挿入部
１３  光学読取コード
１４  切り取り線
１５  本券
１６  控え券
２０  写真印刷装置
２１  撮影部
２２  操作パネル
２３  スピーカ
２４  硬貨投入口
２５  入場券挿入口
２６  入場券排出口
３１  スキャナ
３２  照明
３３  ＣＣＤカメラ
３４  表示部
３５  入力部
３６  プリンタ
４１  制御部
４２  硬貨検知部
４３  入場券認識部
４４  撮影処理部
４５  音声処理部
４６  表示処理部
４７  印刷処理部
【図１】
2008304988.tif 000003
【図２】
2008304988.tif 000004
【図３】
2008304988.tif 000005
【図４】
2008304988.tif 000006
【図５】
2008304988.tif 000007
【図６】
2008304988.tif 000008